(57)【要約】      （修正有）【課題】カップ内部の蒸れを防止し、乳首当接部分の柔軟性と清潔さを確保し、バストを豊かに美しく見せる貼着式ブラジャーを提供する。【解決手段】貼着式ブラジャー１は、一対の独立した左用カップ２Ａ、右用カップ２Ｂからなり、それぞれのカップ２Ａ，２Ｂは柔軟性を有すると共に内側全面に貼着材が配設されたカップ本体部３Ａ，３Ｂと、カップ本体部３Ａ，３Ｂよりも柔軟性が高く吸汗性を有する部材にてカップ本体部３Ａ，３Ｂよりも正面視大きさが小さく形成されてカップ本体部３Ａ，３Ｂの内面略中央部に着脱自在に配設されるバストトップ保護部材４Ａ，４Ｂとを有する。【選択図】図１
2010189780.tif 000002
【特許請求の範囲】
【請求項１】
一対の独立したカップからなる貼着式ブラジャーであって、
それぞれの前記カップは、柔軟性を有すると共に内側全面に貼着性を有するカップ本体部と、該カップ本体部よりも柔軟性が高く吸汗性を有する部材にて前記カップ本体部よりも正面視大きさが小さく形成され、該カップ本体部の内面略中央部に着脱自在に配設されるバストトップ保護部材とを有することを特徴とする貼着式ブラジャー。
【請求項２】
前記カップ本体部には、前記バストトップ保護部材の配設位置に少なくとも一の通気穴が貫通形成されたことを特徴とする請求項１に記載の貼着式ブラジャー。
【請求項３】
前記カップ本体部は装着者の乳房略全体に貼着可能な形状及び大きさに形成されていることを特徴とする請求項１又は２に記載の貼着式ブラジャー。
【請求項４】
前記カップ本体部は、正面視の状態で外周部が略楕円形を呈し、該略楕円形の長軸が装着者の乳房の外側下方と内側上方とを結ぶ線に沿って配設されるように形成され、前記装着者の乳房の外側下方に貼着される部分の前記外周部は最も小さな円弧曲率に形成されると共に前記装着者の前記乳房の内側上方に貼着される部分の前記外周部は最も大きな円弧曲率に形成されていることを特徴とする請求項１乃至３の何れか一つに記載の貼着式ブラジャー。
【請求項５】
前記カップ本体部はシリコンを用いて形成され、前記バストトップ保護部材は発泡ポリウレタンと吸汗性を有するポリエステルとを用いて形成されていることを特徴とする請求項１乃至４の何れか一つに記載の貼着式ブラジャー。
【発明の詳細な説明】
【技術分野】
【０００１】
本発明は、女性の乳房に貼着させて使用されるブラジャーに関する。
【背景技術】
【０００２】
ブラジャーには、女性の乳房の形状を整え、バストを豊かに美しく見せる機能が求められる。一方、近年は女性の服装の多様化等に伴い、ベルトや肩紐を有さず、女性の乳房に貼着させて着用するブラジャーが普及している。このようなものとして、従来、図６に示す、２個の左右を分離するカップ１０１で構成され、二つの分離するカップの上端側に一つの延長するカップ素材１０２を設け、その延長するカップ素材１０２は突出な形状を呈し、カップ１０１及び延長するカップ素材１０２の内面の局部又は全部の範囲に粘着層１０３を塗布してあり、使用するとき、上端側の延長するカップ素材１０２を引いて乳房の上側部分に粘着することにより、乳房をアップ及び集中可能である貼着式ブラジャー１００が知られている（例えば、特許文献１参照）。
【先行技術文献】
【特許文献】
【０００３】
【特許文献１】実用新案登録第３１１８７１０号（段落〔０００６〕,〔図１〕，〔図２〕，〔図４〕）
【発明の開示】
【発明が解決しようとする課題】
【０００４】
しかし、特許文献１に記載の発明においては、カップ１０１の内面の粘着層が塗布されている部分は通気が遮断されてしまう。そのため、特許文献１においてカップ１０１の内面の全部の範囲に粘着層１０３を塗布した場合には、装着者の乳房のカップを貼着させた部分全体が汗で蒸れてしまい、装着者に不快感を与えるという問題がある。一方、特許文献１においてカップ１０１を紙等通気性のある部材で形成すると共にカップの内面の一部、例えば装着者の乳首が当接する部分のみに粘着層を塗布しないことで通気性を確保することも考えられるが、カップ１０１の剛性が低下してバストの形状を整えることが困難になりうるという問題がある。また、乳首周辺は特に肌のデリケートな部分であるため、乳首が当接する部分には柔軟性や清潔さが求められるが、特許文献１に記載の発明においては、カップ１０１の内面の乳首が当接する部分のみを柔軟に形成することが難しく、また繰り返し使用する場合に当該箇所を特に清潔に保つことは難しいという問題がある。
【０００５】
本発明は上記の問題に鑑みてなされたものであり、カップ内部の蒸れを防止すると共に乳首が当接する部分の柔軟性と清潔さを確保して良好な使い心地が得られ、かつ、バストを豊かに美しく見せる機能を有する貼着式ブラジャーを提供することを課題としている。
【課題を解決するための手段】
【０００６】
かかる課題を達成するために、請求項１に記載の発明は、一対の独立したカップからなる貼着式ブラジャーであって、それぞれの前記カップは、柔軟性を有すると共に内側全面に貼着性を有するカップ本体部と、該カップ本体部よりも柔軟性が高く吸汗性を有する部材にて前記カップ本体部よりも正面視大きさが小さく形成され、該カップ本体部の内面略中央部に着脱自在に配設されるバストトップ保護部材とを有することを特徴とする。
【０００７】
請求項２に記載の発明は、請求項１に記載の構成に加え、前記カップ本体部には、前記バストトップ保護部材の配設位置に少なくとも一の通気穴が貫通形成されたことを特徴とする。
【０００８】
請求項３に記載の発明は、請求項１又は２に記載の構成に加え、前記カップ本体部は装着者の乳房略全体に貼着可能な形状及び大きさに形成されていることを特徴とする。
【０００９】
請求項４に記載の発明は、請求項１乃至３の何れか一つに記載の構成に加え、前記カップ本体部は、正面視の状態で外周部が略楕円形を呈し、該略楕円形の長軸が装着者の乳房の外側下方と内側上方とを結ぶ線に沿って配設されるように形成され、前記装着者の乳房の外側下方に貼着される部分の前記外周部は最も小さな円弧曲率に形成されると共に前記装着者の前記乳房の内側上方に貼着される部分の前記外周部は最も大きな円弧曲率に形成されていることを特徴とする。
【００１０】
請求項５に記載の発明は、請求項１乃至４の何れか一つに記載の構成に加え、前記カップ本体部はシリコンを用いて形成され、前記バストトップ保護部材は発泡ポリウレタンと吸汗性を有するポリエステルとを用いて形成されていることを特徴とする。
【発明の効果】
【００１１】
請求項１に記載の発明によれば、それぞれのカップは内側全面が貼着性を有するカップ本体部と、カップ本体部よりも柔軟性が高く吸汗性を有する部材にてカップ本体部よりも正面視大きさが小さく形成され、該カップ本体部の内面略中央部に配設されるバストトップ保護部材とを有することにより、装着者の乳首に柔軟性の高いバストトップ保護部材を当接させて、乳首への貼着材の張り付きを防ぎ肌の保護を図ると共に、バストトップ保護部材よりも剛性の高いカップ本体部を装着者の乳房に貼着させてバストの形状を整えることができる。しかも、バストトップ保護部材は吸汗性を有することにより、カップの内部に発汗された汗をバストトップ保護部材で吸収できる。更に、バストトップ保護部材はカップ本体部に着脱自在に形成されていることにより、バストトップ保護部材はカップ本体部と別に洗浄できて、清潔さを維持させた状態で繰り返し使用できる。これにより、カップ内部の蒸れを防止すると共に乳首が当接する部分の柔軟性と清潔さを確保して良好な使い心地が得られ、かつ、バストを豊かに美しく見せることができる。
【００１２】
請求項２に記載の発明によれば、カップ本体部には、バストトップ保護部材の配設位置に少なくとも一の通気穴が貫通形成されていることにより、カップ本体部を装着者の乳房に貼着した状態でカップ本体部の内部の通気性を良好に保つことができる。これにより、皮膚がデリケートな乳首及び乳首周辺の蒸れを防止して良好な使い心地を得ることができる。
【００１３】
請求項３に記載の発明によれば、カップ本体部は装着者の乳房略全体に貼着可能な形状及び大きさに形成されていることにより、貼着材の貼着面積を十分に確保して使用時にカップ本体部が乳房からはがれ落ちる事態を防止すると共に、装着者の乳房全体をカップ本体部が包み込んで装着者に安定感と安心感とを与えることができ、かつ乳房略全体の形状をカップ本体部で整えることができる。これにより、一層良好な使い心地が得られ、かつバストを豊かに美しく見せることができる。
【００１４】
請求項４に記載の発明によれば、カップ本体部は正面視の状態で外周部が略楕円形を呈し、略楕円形の長軸が装着者の乳房の外側下方と内側上方とを結ぶ線に沿って配設されるように形成され、装着者の乳房の外側下方に貼着される部分の外周部は、略楕円形に仮想的に設けた長軸の一端側に位置し、かつ長軸の他端側に位置する外周部よりも円弧曲率が小さく形成されていることにより、カップ本体部の外周部が小さな円弧曲率に形成された部分を装着者の乳房の外側下方に貼着した状態で、カップ本体部を略楕円形の長軸方向に沿って内側上方に引き上げながら乳房に貼着させることで、両方の乳房を中央上方に寄せて上げて形状を整えると共に、乳房全体に下から支える安定感を与えることができる。これにより、一層良好な使い心地が得られ、かつバストを豊かに美しく見せることができる。
【００１５】
請求項５に記載の発明によれば、カップ本体部はシリコンを用いて形成されていることにより、弾力性と高い剛性を持たせることができる。また、バストトップ保護部材は発泡ポリウレタンと吸汗性を有するポリエステルとを用いて形成されていることにより、高い柔軟性と高い吸汗性とを持たせることができる。これにより、カップ内部の蒸れを防止すると共に乳首が当接する部分の柔軟性と清潔さを確保して良好な使い心地が得られ、かつ、バストを豊かに美しく見せることができる。
【図面の簡単な説明】
【００１６】
【図１】この実施の形態の貼着式ブラジャーの、カップ本体部とバストトップ保護部材とを分離させた状態の正面図である。
【図２】同上貼着式ブラジャーのカップ本体部の側面図、及び部分断面図である。
【図３】同上貼着式ブラジャーのバストトップ保護部材の側面図、及び部分断面図である。
【図４】同上貼着式ブラジャーの装着途中の状態を示すイメージ図である。
【図５】同上貼着式ブラジャーの装着が完了した状態を示すイメージ図である。
【図６】従来の貼着式ブラジャーの一部を切り欠いた状態を含む正面図である。
【発明を実施するための形態】
【００１７】
以下、この発明の一の実施の形態について図面を参照して説明する。
【００１８】
図１に示す通り、この実施の形態の貼着式ブラジャー１は、一対の独立した「カップ」としての左用カップ２Ａと右用カップ２Ｂとから成る。
【００１９】
左用カップ２Ａはカップ本体部３Ａとバストトップ保護部材４Ａとから成り、同様に、右用カップ２Ｂはカップ本体部３Ｂとバストトップ保護部材４Ｂとから成る。左用カップ２Ａのカップ本体部３Ａとバストトップ保護部材４Ａと、右用カップ２Ｂのカップ本体部３Ｂとバストトップ保護部材４Ｂとは、それぞれ着脱自在に形成されている。
【００２０】
図１に示す通り、左用カップ２Ａのカップ本体部３Ａと右用カップ２Ｂのカップ本体部３Ｂとは、正面視において左右対称に形成されている。図２の拡大断面図に示す通り、カップ本体部３Ａ，３Ｂは、シリコン製の芯材５の周囲にポリウレタン製の弾性部材６が被覆されており、更に内側の弾性部材６の内側全面にはシリコン製の貼着材７が配設されている。芯材５は装着者の乳房の形状を整えて保持できる程度の高い剛性と伸縮性とを有し、弾性部材６は皮膚に接触した際に痛みや違和感を与えない程度の高い弾性と柔軟性とを有する。貼着材７はカップ本体部３Ａ，３Ｂを乳房の皮膚に繰り返し貼着できる程度の粘着性を有する。そして、カップ本体部３Ａ，３Ｂは、全体としてバストトップ保護部材４Ａ，４Ｂよりも高い剛性と伸縮性とを有するように形成されている。
【００２１】
この実施の形態においては、芯材５を厚さ１〜２ｍｍ程度に、弾性部材６の厚さを３０μｍ程度に形成する。ただし、芯材５及び弾性部材６に上記の機能を奏させることのできる厚さであればどのような厚さに形成してもよい。
【００２２】
なお、芯材５、弾性部材６、貼着材７は、上記機能を奏するものであればどのような材質であってもよい。例えば、芯材５、弾性部材６、貼着材７を全てシリコンによって形成することや、芯材５のみ、あるいは芯材５、弾性部材６、貼着材７のうち少なくとも何れか一つをポリオレフィンによって形成することや、芯材５をゲル状のウレタンやパラフィンによって形成すること等が考えられる。
【００２３】
図１に示す通り、カップ本体部３Ａ，３Ｂは、乳房略全体に貼着可能な形状である、正面視の状態で外周部が略楕円形を呈する形状に形成されている。図１に示す通り、カップ本体部３Ａ，３Ｂの外周部を楕円形とした場合にそれぞれ仮想的に引くことができる長軸８及び短軸９で４分割したとき、第一象限１０、第二象限１１、第三象限１２、第四象限１３の外周部の形状が全て異なる形状となるように形成されている。そして、装着者の乳房の外側下方に貼着される部分である、長軸８の一端１４側に位置する、第三象限１２の一端１４近傍の外周部の円弧曲率Ｒ１は、長軸８の他端１５側に位置する、第一象限１０の他端１５近傍の外周部の円弧曲率Ｒ２よりも小さく形成されている。
【００２４】
また、カップ本体部３Ａ，３Ｂは装着者の乳房略全体に貼着可能な大きさに形成されている。この実施の形態においては、長軸８の長さが１２〜１５ｃｍ程度に、短軸９の長さが８〜１０ｃｍ程度に形成されている。但し、上記目的を達成しうる大きさであればどのような大きさであってもよい。
【００２５】
更に、カップ本体部３Ａ，３Ｂの略中央部の、内面にバストトップ保護部材４Ａ，４Ｂが配設される位置（後述）には、一の通気穴１６が貫通形成されている。この実施の形態において、通気穴１６の直径は約１ｍｍ程度に形成するが、カップ本体部３Ａ，３Ｂを装着者の乳房に貼着させた際にカップ本体部３Ａ，３Ｂの内部の通気を良好に保てる大きさであればどのような大きさに形成されていてもよい。また、通気穴１６は一つに限らず、それぞれのカップ本体部３Ａ，３Ｂにそれぞれ複数形成されていてもよい。更に、カップ本体部３Ａ，３Ｂの内部の通気を良好に保てる位置であるならば、カップ本体部３Ａ，３Ｂの、内面にバストトップ保護部材４Ａ，４Ｂが配設されない位置に通気穴が形成されていてもよい。
【００２６】
図１に示す通り、バストトップ保護部材４Ａ，４Ｂは、カップ本体部３Ａ，３Ｂよりも正面視の状態での大きさが小さく形成されている。また、図３の拡大断面図に示す通り、バストトップ保護部材４Ａ，４Ｂは、発泡ポリエステル製の弾性材１７の外側全体にポリエステル製の吸汗部材１８を熱加工にて固着させて形成されている。弾性材１７は、装着者の乳首に当接した箇所が弾性変形する程度に高い弾性を有する。吸汗部材１８は高い吸汗性を有する丸編み天竺にて編まれている。そして、バストトップ保護部材４Ａ，４Ｂは、全体としてカップ本体部３Ａ，３Ｂよりも高い柔軟性と高い吸汗性とを有するように形成されている。後述する通り、バストトップ保護部材４Ａ，４Ｂは、カップ本体部３Ａ，３Ｂの内面略中央部に着脱自在に配設される。
【００２７】
但し、弾性材１７は上記機能を奏するものであればどのような材質であってもよい。具体的には、例えば不織布、中綿等によって弾性体１７を形成することが考えられる。また、吸汗部材１８は、上記機能を奏するものであればどのような織り方や編み方であってもよいし、どのような材質であってもよい。具体的には、例えば平織り、斜文織り、朱子織り等の織り方や、丸編みメリヤス、両面メリヤス編み、経編み等の編み方で吸汗部材１８を形成してもよいし、不織布等の材質によって吸汗部材１８を形成してもよい。
【００２８】
図１に示す通り、バストトップ保護部材４Ａ，４Ｂは、正面視において略楕円形に形成されており、また、装着者の乳首及び乳首周辺部分略全体に当接される形状及び大きさに形成されている。この実施の形態においては、バストトップ保護部材４Ａ，４Ｂは、図１に示す、仮想長軸１９の長さが約５〜７ｃｍ程度、仮想短軸２０の長さが約４〜６ｃｍ程度の正面視略楕円形に形成されている。なお、装着者の乳首及び乳首周辺に当接し保護する機能を奏することができればどのような大きさに形成されていてもよい。また、正面視形状は略楕円形以外の形状、例えば星形、ハート形、三日月形などとし、美観を高めることもできる。
【００２９】
また、図３に示す通り、バストトップ保護部材４Ａ，４Ｂは、外側（即ち使用時にカップ本体部３Ａ，３Ｂに当接する側、図３における上側）は略ドーム型に形成されており、内側（即ち使用時に装着者の乳首及び乳首周辺部が当接する側、図３における下側）は略平面形状になっている。これにより、装着者に良好なフィット感を与え、貼着式ブラジャー１の使用時に装着者が乳首や乳首周辺に違和感を覚える事態を防止できる。なお、バストトップ保護部材４Ａ，４Ｂの内側の略中央部の、乳首が当接する部分を凹状に陥没形成させて、装着者の乳首のフィット感を良好にすることもできる。この凹状に陥没形成させた部分は、背面視において略星形や略六芒星形や略ハート形等となる形状に形成し、デザイン性を向上させることもできる。
【００３０】
更に、図２及び図３に示す通り、バストトップ保護部材４Ａ，４Ｂの外側は、側面視における円弧曲率Ｒ３が、カップ本体部３Ａ，３Ｂの内側（即ち装着者の乳房及びバストトップ保護部材４Ａ，４Ｂに当接する側）の側面視における円弧曲率Ｒ４よりも小さくなるように形成されている。このようにすることで、繰り返し使用した場合におけるカップ本体部３Ａ，３Ｂとバストトップ保護部材４Ａ，４Ｂとの良好なフィット感を維持することができる。即ち、カップ本体部３Ａ，３Ｂは繰り返し使用することで素材が伸びてゆき、内側が次第に拡開してゆく（即ち、側面視における円弧曲率Ｒ４が次第に小さくなる）傾向にあるが、バストトップ保護部材４Ａ，４Ｂの外側の側面視における円弧曲率Ｒ３が円弧曲率Ｒ４よりも小さい（図１参照）ので、カップ本体部３Ａ，３Ｂの素材が多少伸びたとしても、使用時におけるカップ本体部３Ａ，３Ｂの内側とバストトップ保護部材４Ａ，４Ｂの外側とは引き続き良好な密着具合が維持されることになる。
【００３１】
次に、この実施の形態の貼着式ブラジャー１の使用手順を説明する。
【００３２】
まず、装着者は、左用カップ２Ａ（右用カップ２Ｂでもよいが、ここでは便宜的に左用カップ２Ａに基づいて説明する。）のカップ本体部３Ａの内側略中央部に、バストトップ保護部材４Ａの外側を対向させて配設する。
【００３３】
次に、図４に示す通り、装着者は、カップ本体部３Ａの第三象限１２の一端１４近傍の外周部周辺の貼着材７によって左側の乳房の外側下方に貼着させ、さらに乳首及び乳首周辺にバストトップ保護部材４Ａを当接させ、カップ本体部３Ａの内面略中央部にバストトップ保護部材４Ａが当接するようにカップ本体部３Ａを貼着させる。これにより、図４に示す通り、カップ本体部３Ａの略楕円形の長軸８が装着者の乳房の外側下方と内側上方とを結ぶ線に沿って配設される。
【００３４】
この状態で、カップ本体部３Ａの他端１５付近を把持して内側上方、即ち図４に示す矢印Ａ方向に引き上げる。このとき、長軸８の一端１４側である円弧曲率Ｒ１が小さい側が乳房の外側下方略全体に貼着された状態となるので、乳房略全体をカップ本体部３Ａに包み込んだ状態で内側上方に引き上げられることが可能になる。しかも、カップ本体部３Ａが引き上げられる方向がカップ本体部３Ａの長軸８に沿う方向と略一致するので、装着者はカップ本体部３Ａの端部を把持して引き上げる工程を容易に行うことができる。
【００３５】
カップ本体部３Ａが内側上方に引き上げられた状態で、カップ本体部３Ａ略全体を貼着材７によって乳房に貼着させると、乳房全体が内側上方に引き上げられ、バストの高さ方向大きさが大きくなった状態で乳房の形状を固定できる。
【００３６】
そして、右用カップ２Ｂも、左用カップ２Ａの場合と同様の手順で装着者の右側の乳房に貼着させる。これにより、図４に示すように、両方のバストトップ部分の仮想点Ｓ、仮想点Ｔと鎖骨の中心を結んだ仮想点Ｕとがいびつな三角形を形成している場合であっても、仮想点Ｓ，Ｔが内側上方に引き上げられた結果、図５に示すように、仮想点Ｓ，Ｔ，Ｕが正三角形を形成する理想的なバスト形状（いわゆるゴールデントライアングル）を容易に形成することができる。即ち、見かけ上のバストアップを図りつつ、バストの形状を美しく整えることができる。
【００３７】
この状態で貼着式ブラジャー１を使用する際、装着者の乳房のカップ本体部３Ａ，３Ｂが貼着された部分に汗をかいたとしても、バストトップ保護部材４Ａ，４Ｂが汗を吸収し、更に通気穴１６によってカップ本体部３Ａ，３Ｂの内部と外気との通気が行われるので、装着者は乳房に蒸れによる違和感を感ずることなく良好な使用状態を維持することができる。
【００３８】
一方、使用が終わった後は、装着者は貼着式ブラジャー１を乳房から剥離させ、カップ本体部３Ａ，３Ｂとバストトップ保護部材４Ａ，４Ｂとは分離させてそれぞれ洗浄、乾燥させる。このとき、汚れ方や吸汗の度合いにより、カップ本体部３Ａ，３Ｂとバストトップ保護部材４Ａ，４Ｂとの洗浄の仕方を変えることができる。そして、乾燥が完了した後、貼着式ブラジャー１は再度使用することができる。
【００３９】
以上、この実施の形態においては、左用カップ２Ａ、右用カップ２Ｂは、内側全面に貼着性を有する貼着材７が塗布されたカップ本体部３Ａ，３Ｂと、カップ本体部３Ａ，３Ｂよりも正面視大きさが小さく形成され、カップ本体部３Ａ，３Ｂの内面略中央部に配設されるバストトップ保護部材４Ａ，４Ｂとを有することにより、装着者の乳首に柔軟性の高いバストトップ保護部材４Ａ，４Ｂを当接させて、乳首への貼着材の張り付きを防ぎ肌の保護を図ると共に、バストトップ保護部材４Ａ，４Ｂよりも剛性の高いカップ本体部３Ａ，３Ｂを装着者の乳房に貼着させてバストの形状を整えることができる。しかも、バストトップ保護部材４Ａ，４Ｂは吸汗性を有することにより、左用カップ２Ａ、右用カップ２Ｂの内部に発汗された汗をバストトップ保護部材４Ａ，４Ｂで吸収できる。更に、バストトップ保護部材４Ａ，４Ｂはカップ本体部３Ａ，３Ｂに着脱自在に形成されていることにより、バストトップ保護部材４Ａ，４Ｂはカップ本体部３Ａ，３Ｂと別に洗浄できて、清潔さを維持させた状態で繰り返し使用できる。これにより、左用カップ２Ａ、右用カップ２Ｂの皮膚がデリケートな乳首及び乳首周辺の蒸れを防止を防止すると共に乳首が当接する部分の柔軟性と清潔さを確保して良好な使い心地が得られ、かつ、バストを豊かに美しく見せることができる。
【００４０】
この実施の形態においては、カップ本体部３Ａ，３Ｂには、バストトップ保護部材３Ａ，３Ｂの配設位置に少なくとも一の通気穴１６が貫通形成されていることにより、カップ本体部３Ａ，３Ｂを装着者の乳房に貼着した状態でカップ本体部３Ａ，３Ｂの内部の通気性を良好に保つことができる。これにより、左用カップ２Ａ、右用カップ２Ｂの内部の蒸れを防止して良好な使い心地を得ることができる。
【００４１】
この実施の形態においては、カップ本体部３Ａ，３Ｂは装着者の乳房略全体に貼着可能な形状及び大きさに形成されていることにより、貼着材７の貼着面積を十分に確保して使用時にカップ本体部が乳房からはがれ落ちる事態を防止すると共に、装着者の乳房全体をカップ本体部３Ａ，３Ｂが包み込んで装着者に安定感と安心感とを与えることができ、かつ乳房略全体の形状をカップ本体部３Ａ，３Ｂで整えることができる。これにより、良好な使い心地が得られ、かつバストを一層豊かに美しく見せることができる。
【００４２】
この実施の形態においては、カップ本体部３Ａ，３Ｂは正面視の状態で外周部が略楕円形を呈し、略楕円形の長軸８が装着者の乳房の外側下方と内側上方とを結ぶ線に沿って配設されるように形成され、装着者の乳房の外側下方に貼着される部分の外周部は、略楕円形に仮想的に設けた長軸８の一端１４側に位置し、かつ長軸の他端１５側に位置する外周部よりも円弧曲率Ｒ１が小さく形成されていることにより、カップ本体部３Ａ，３Ｂの外周部が最も小さな円弧曲率に形成された部分を装着者の乳房の外側下方に貼着した状態で、カップ本体部３Ａ，３Ｂの外周部が最も大きな円弧曲率に形成された部分を内側上方に引き上げながら乳房に貼着させることで、両方の乳房を中央上方に寄せて上げて形状を整えると共に、乳房全体に下から支える安定感を与えることができる。これにより、良好な使い心地が得られ、かつバストを豊かに美しく見せることができる。
【００４３】
この実施の形態においては、カップ本体部３Ａ，３Ｂはシリコンを用いて形成されていることにより、弾力性と高い剛性を持たせることができる。また、バストトップ保護部材４Ａ，４Ｂは発泡ポリウレタンと吸汗性を有するポリエステルとを用いて形成されていることにより、高い柔軟性と高い吸汗性とを持たせることができる。これにより、カップ内部の蒸れを確実に防止すると共に乳首が当接する部分の柔軟性と清潔さを確保して良好な使い心地が得られ、かつ、バストを豊かに美しく見せることができる。
【００４４】
上記実施の形態は本発明の例示であり、本発明が上記実施の形態に限定されることを意味するものではないことは、いうまでもない。
【実施例】
【００４５】
出願人は、本発明に係る貼着式ブラジャーと特許文献１に記載された態様の従来品の貼着式ブラジャーとを同一被験者（装着者）に装着させて、使用状態、及び使用時のバスト形状について実験を行った。なお、被験者のブラジャーサイズはＢ７５又はＣ７０であった。
【００４６】
まず、本発明に係る貼着式ブラジャーを被験者に装着させた場合は、被験者は使用開始から６００分を経ても乳房に蒸れを感じるとは訴えなかった。また、装着が完了した状態（即ち、図５に示す状態）において、鎖骨からバストトップまでの長さと双方のバストトップの長さとは、それぞれ１６．０ｃｍと１６．０ｃｍとであった。即ち、被験者の乳房全体が内側上方に大きく引き上げられて見かけ上のバストアップが十分に図られており、両方のバストトップ部分と鎖骨の中心とを結んだ部分（即ち図４、図５に示す仮想点Ｓ，Ｔ，Ｕ）が正三角形を形成する理想的なバスト形状が形成されていた。
【００４７】
一方、従来品の装着時においては、被験者は使用開始から１８０分程度で乳房に蒸れを感じると訴えた。また、装着時の鎖骨からバストトップまでの長さと双方のバストトップの長さとは、それぞれ１８．０ｃｍと２０．０ｃｍとであった。即ち、被験者の乳房を内側上方に引き上げることはできず、従って見かけ上のバストアップを十分に図ることはできず、また両方のバストトップ部分と鎖骨の中心とを結んだ部分が理想的な形状を呈していなかった。
【符号の説明】
【００４８】
１・・・貼着式ブラジャー
２Ａ・・・左用カップ（カップ）
２Ｂ・・・右用カップ（カップ）
３Ａ，３Ｂ・・・カップ本体部
４Ａ，４Ｂ・・・バストトップ保護部材
７・・・貼着材
８・・・長軸
１４・・・一端
１５・・・他端
１６・・・通気穴
【図１】
2010189780.tif 000003
【図２】
2010189780.tif 000004
【図３】
2010189780.tif 000005
【図４】
2010189780.tif 000006
【図５】
2010189780.tif 000007
【図６】
2010189780.tif 000008